(57)【要約】  【課題】本発明は、駆動過程における発熱問題を解消する一方、プラズマディスプレイ装置の製造費用を節減することを目的とする。【解決手段】本発明によるプラズマディスプレイ装置は、スキャン電極を含むプラズマディスプレイパネルと前記スキャン電極に前記プラズマディスプレイパネルとセットアップインダクタとの共振によりセットアップパルスを供給するスキャン駆動部を含む。【選択図】図１
2007122052.tif 000002
【特許請求の範囲】
【請求項１】
スキャン電極を含むプラズマディスプレイパネル;及び
前記スキャン電極に前記プラズマディスプレイパネルとセットアップインダクタとの共振によりセットアップパルスを供給するスキャン駆動部を含むプラズマディスプレイ装置。
【請求項２】
前記スキャン駆動部は、
セットアップ電圧源から供給されるセットアップ電圧を充電するセットアップキャパシタと、
前記セットアップ電圧源と前記スキャン電極の間に接続されて前記セットアップ電圧が前記スキャン電極に供給されるように制御するセットアップスイッチと、
該セットアップスイッチと前記スキャン電極の間に接続されたセットアップインダクタを含むことを特徴とする請求項１に記載のプラズマディスプレイ装置。
【請求項３】
前記セットアップパルスの最高電圧の大きさは、サステイン電圧の大きさとセットアップ電圧の大きさとの和からサステイン電圧の大きさとセットアップ電圧の２倍の大きさとの和までの範囲であることを特徴とする請求項１に記載のプラズマディスプレイ装置。
【請求項４】
スキャン電極を含むプラズマディスプレイパネルと、
前記スキャン電極に第１電圧を供給するサステインパルス供給部と、
前記スキャン電極に前記プラズマディスプレイパネルとの共振により前記第１電圧から第２電圧まで漸進的に上昇するセットアップパルスを供給するセットアップパルス供給部を含むプラズマディスプレイ装置。
【請求項５】
前記第１電圧はサステイン電圧であることを特徴とする請求項４に記載のプラズマディスプレイ装置。
【請求項６】
前記セットアップパルス供給部は、
セットアップ電圧源から供給されるセットアップ電圧を充電するセットアップキャパシタと、
前記セットアップ電圧源と前記スキャン電極の間に接続されて前記セットアップ電圧が前記スキャン電極に供給されるように制御するセットアップスイッチと、
該セットアップスイッチと前記スキャン電極の間に接続されて前記セットアップキャパシタに充電された電圧を前記プラズマディスプレイパネルとの共振により前記スキャン電極に供給するセットアップインダクタを含むことを特徴とする請求項５に記載のプラズマディスプレイ装置。
【請求項７】
前記第２電圧と前記第１電圧との差の大きさは、前記セットアップ電圧の大きさから前記セットアップ電圧の２倍の大きさまでの範囲であることを特徴とする請求項６に記載のプラズマディスプレイ装置。
【請求項８】
前記サステインパルス供給部は、
前記スキャン電極とサステイン電圧源の間に接続されて前記スキャン電極に前記サステイン電圧を供給するように制御するサステイン電圧供給制御部と、
前記スキャン電極と基底電圧源の間に接続されて前記スキャン電極に基底電圧を供給するように制御する基底電圧供給制御部を含むことを特徴とする請求項６に記載のプラズマディスプレイ装置。
【請求項９】
前記セットアップキャパシタに前記セットアップ電圧を充電する電流パスは、前記セットアップ電圧源、前記セットアップキャパシタ、前記基底電圧供給制御部及び前記基底電圧源により形成されることを特徴とする請求項８に記載のプラズマディスプレイ装置。
【請求項１０】
前記セットアップキャパシタに充電された電圧を前記プラズマディスプレイパネルとの共振により前記スキャン電極に供給する電流パスは、前記セットアップキャパシタ、前記セットアップスイッチ、前記セットアップインダクタ及び前記プラズマディスプレイパネルにより形成されることを特徴とする請求項８に記載のプラズマディスプレイ装置。
【請求項１１】
前記セットアップキャパシタの一端は前記セットアップ電圧源と接続され、前記セットアップキャパシタの他端は前記基底電圧供給制御部のドレイン端と接続され、
前記セットアップスイッチのドレイン端は前記セットアップキャパシタの一端及び前記セットアップ電圧源と共通接続され、前記セットアップスイッチのソース端は前記セットアップインダクタの一端と接続され、
前記セットアップインダクタの他端は前記スキャン電極と接続されたことを特徴とする請求項８に記載のプラズマディスプレイ装置。
【請求項１２】
前記セットアップパルス供給部はインダクタを含むことを特徴とする請求項４に記載のプラズマディスプレイ装置。
【請求項１３】
リセット期間の間スキャン電極に第１電圧を供給する段階と、
前記リセット期間の間前記スキャン電極に前記第１電圧から第２電圧まで漸進的に上昇するパルスをプラズマディスプレイパネルとの共振により供給する段階を含むことを特徴とするプラズマディスプレイ装置の駆動方法。
【請求項１４】
前記第１電圧はサステイン電圧であることを特徴とする請求項１３に記載のプラズマディスプレイ装置の駆動方法。
【請求項１５】
前記第１電圧から前記第２電圧まで漸進的に上昇するパルスを供給する段階は、
セットアップ電圧をセットアップキャパシタに充電する段階と、
前記セットアップキャパシタに充電された電圧を前記プラズマディスプレイパネルとの共振により前記スキャン電極に供給する段階を含むことを特徴とする請求項１３に記載のプラズマディスプレイ装置の駆動方法。
【請求項１６】
前記前記第２電圧と前記第１電圧との差の大きさは、前記セットアップ電圧の大きさから前記セットアップ電圧の２倍の大きさまでの範囲であることを特徴とする請求項１５に記載のプラズマディスプレイ装置の駆動方法。
【発明の詳細な説明】
【技術分野】
【０００１】
本発明は、ディスプレイ装置に関するもので、詳しくは、プラズマディスプレイ装置及びその駆動方法に関する。
【背景技術】
【０００２】
一般に、ディスプレイ装置のうちプラズマディスプレイ装置は、プラズマディスプレイパネルとプラズマディスプレイパネルを駆動するための駆動部を含む。
【０００３】
一般に、プラズマディスプレイパネルは、前面パネルと後面パネルの間に形成された隔壁が一つの放電セルを成すもので、各放電セル内には、ネオン（Ｎｅ）、ヘリウム（Ｈe）又はネオン及びヘリウムの混合気体（Ｎe+Ｈe）のような主放電気体と少量のキセノン（Ｘｅ）を含む不活性ガスが充填されている。
【０００４】
このような各放電セルが複数個集まって一つのピクセルを成す。例えば、赤色（Red、Ｒ）放電セル、緑（Green、Ｇ）放電セル、青色（Blue、Ｂ）放電セルが集まって一つのピクセルを成す。
【０００５】
そして、このようなプラズマディスプレイパネルは、高周波電圧によって放電される時、不活性ガスは、真空紫外線を発生して隔壁の間に形成された蛍光体を発光させて画像が実現される。このようなプラズマディスプレイパネルは、薄くて軽い構成が可能であるので、次世代の表示装置として脚光を浴びている。
【発明の開示】
【発明が解決しようとする課題】
【０００６】
本発明は、駆動過程における発熱問題を解消する一方、プラズマディスプレイ装置の製造費用を節減することを目的とする。
【課題を解決するための手段】
【０００７】
本発明は、スキャン電極を含むプラズマディスプレイパネル及び前記スキャン電極に前記プラズマディスプレイパネルとセットアップインダクタとの共振によりセットアップパルスを供給するスキャン駆動部を含むプラズマディスプレイ装置を提供する。
【０００８】
本発明は、スキャン電極を含むプラズマディスプレイパネルと、前記スキャン電極に第１電圧を供給するサステインパルス供給部及び前記スキャン電極に前記プラズマディスプレイパネルとの共振により前記第１電圧から第２電圧まで漸進的に上昇するセットアップパルスを供給するセットアップパルス供給部と、を含むプラズマディスプレイ装置を提供する。
【０００９】
また、本発明は、リセット期間の間スキャン電極に第１電圧を供給する段階と、前記リセット期間の間前記スキャン電極に前記第１電圧から第２電圧まで漸進的に上昇するパルスをプラズマディスプレイパネルとの共振により供給する段階と、を含むプラズマディスプレイ装置の駆動方法を提供する。
【００１０】
本発明の一実施形態によるプラズマディスプレイ装置は、スキャン電極を含むプラズマディスプレイパネル及び前記スキャン電極に前記プラズマディスプレイパネルとセットアップインダクタとの共振によりセットアップパルスを供給するスキャン駆動部を含むことを特徴とする。
【００１１】
前記スキャン駆動部は、セットアップ電圧源から供給されるセットアップ電圧を充電するセットアップキャパシタと、前記セットアップ電圧源と前記スキャン電極の間に接続されて前記セットアップ電圧が前記スキャン電極に供給されるように制御するセットアップスイッチ及び該セットアップスイッチと前記スキャン電極の間に接続されたセットアップインダクタと、を含むことを特徴とする。
【００１２】
前記セットアップパルスの最高電圧の大きさは、サステイン電圧の大きさとセットアップ電圧の大きさとの和からサステイン電圧の大きさとセットアップ電圧の２倍の大きさとの和までの範囲であることが好ましい。
【００１３】
本発明の他の一実施形態によるプラズマディスプレイ装置は、スキャン電極を含むプラズマディスプレイパネルと、前記スキャン電極に第１電圧を供給するサステインパルス供給部及び前記スキャン電極に前記プラズマディスプレイパネルとの共振により前記第１電圧から第２電圧まで漸進的に上昇するセットアップパルスを供給するセットアップパルス供給部と、を含むことを特徴とする。
【００１４】
前記第１電圧はサステイン電圧であることが好ましい。
【００１５】
前記セットアップパルス供給部は、セットアップ電圧源から供給されるセットアップ電圧を充電するセットアップキャパシタと、前記セットアップ電圧源と前記スキャン電極の間に接続されて前記セットアップ電圧が前記スキャン電極に供給されるように制御するセットアップスイッチ及び該セットアップスイッチと前記スキャン電極の間に接続されて前記セットアップキャパシタに充電された電圧を前記プラズマディスプレイパネルとの共振により前記スキャン電極に供給するセットアップインダクタと、を含むことを特徴とする。
【００１６】
前記第２電圧と前記第１電圧との差の大きさは、前記セットアップ電圧の大きさから前記セットアップ電圧の２倍の大きさまでの範囲であることが好ましい。
【００１７】
前記サステインパルス供給部は、前記スキャン電極とサステイン電圧源の間に接続されて前記スキャン電極に前記サステイン電圧を供給するように制御するサステイン電圧供給制御部及び前記スキャン電極と基底電圧源の間に接続されて前記スキャン電極に基底電圧を供給するように制御する基底電圧供給制御部を含むことを特徴とする。
【００１８】
前記セットアップキャパシタに前記セットアップ電圧を充電する電流パスは、前記セットアップ電圧源、前記セットアップキャパシタ、前記基底電圧供給制御部及び前記基底電圧源により形成されることが好ましい。
【００１９】
前記セットアップキャパシタに充電された電圧を前記プラズマディスプレイパネルとの共振により前記スキャン電極に供給する電流パスは、前記セットアップキャパシタ、前記セットアップスイッチ、前記セットアップインダクタ及び前記プラズマディスプレイパネルにより形成されることが好ましい。
【００２０】
前記セットアップキャパシタの一端は前記セットアップ電圧源と接続され、前記セットアップキャパシタの他端は前記基底電圧供給制御部のドレイン端と接続され、前記セットアップスイッチのドレイン端は前記セットアップキャパシタの一端及び前記セットアップ電圧源と共通接続され、前記セットアップスイッチのソース端は前記セットアップインダクタの一端と接続され、前記セットアップインダクタの他端は前記スキャン電極と接続されたことが好ましい。
【００２１】
前記セットアップパルス供給部はインダクタを含むことが好ましい。
【００２２】
本発明のまた他の一実施形態によるプラズマディスプレイ装置の駆動方法は、リセット期間の間スキャン電極に第１電圧を供給する段階と、前記リセット期間の間前記スキャン電極に前記第１電圧から第２電圧まで漸進的に上昇するパルスをプラズマディスプレイパネルとの共振により供給する段階と、を含むことを特徴とする。
【００２３】
前記第１電圧はサステイン電圧であることが好ましい。
【００２４】
前記第１電圧から前記第２電圧まで漸進的に上昇するパルスを供給する段階は、セットアップ電圧をセットアップキャパシタに充電する段階及び前記セットアップキャパシタに充電された電圧を前記プラズマディスプレイパネルとの共振により前記スキャン電極に供給する段階を含むことを特徴とする。
【００２５】
前記前記第２電圧と前記第１電圧との差の大きさは、前記セットアップ電圧の大きさから前記セットアップ電圧の２倍の大きさまでの範囲であることが好ましい。
【発明の効果】
【００２６】
本発明の一実施形態によるプラズマディスプレイ装置は、セットアップ期間の間セットアップパルスを実現する手段としてセットアップスイッチ（Ｑｓｔ）の飽和領域を利用することで、プラズマディスプレイパネルの駆動過程における発熱問題を解消して安定的な駆動を確保する一方、各回路素子の構成を単純化してプラズマディスプレイパネルの製造費用を節減し得るという効果がある。
【発明を実施するための最良の形態】
【００２７】
以下、本発明の一実施形態による具体的な実施形態について添付された図面を参照して説明する。
【００２８】
図１は、本発明の一実施形態によるプラズマディスプレイ装置を説明するための図である。
【００２９】
図１に示すように、本発明の一実施形態によるプラズマディスプレイ装置は、プラズマディスプレイパネル１００と、該プラズマディスプレイパネル１００の各電極に所定の駆動電圧を供給するための駆動部、好ましくは、データ駆動部１０１、スキャン駆動部１０２、サステイン駆動部１０３を含む。
【００３０】
ここで、前記スキャン駆動部１０２、サステイン駆動部１０３は第１駆動部であることが可能であり、前記データ駆動部１０１は第２駆動部であることが可能である。
【００３１】
ここで、前記プラズマディスプレイパネル１００は、前面パネル（図示せず）と後面パネル（図示せず）とが一定間隔を置いて合着され、多数の各電極、例えば、スキャン電極（Ｙ）とサステイン電極（Ｚ）が複数個形成されることが好ましい。
【００３２】
このようなプラズマディスプレイパネル１００の構造について添付された図２を参照してより詳しく説明する。
【００３３】
図２は、本発明の一実施形態によるプラズマディスプレイ装置でプラズマディスプレイパネルの構造の一例を説明するための図面である。
【００３４】
図２に示すように、本発明の一実施形態によるプラズマディスプレイ装置のプラズマディスプレイパネル１００は、画像がディスプレイされる表示面である前面基板２０１にスキャン電極２０２、Ｙとサステイン電極２０３、Ｚが形成された前面パネル２００及び背面を成す後面基板２１１上に前述したスキャン電極２０２、Ｙ及びサステイン電極２０３、Ｚと交差されるように複数のアドレス電極２１３、Ｘが配列された後面パネル２１０が一定距離を並んで結合される。
【００３５】
前記前面パネル２００は、一つの放電空間、すなわち放電セルで相互放電させて放電セルの発光を維持するためのスキャン電極２０２、Ｙ及びサステイン電極２０３、Ｚ、すなわち透明なＩＴＯ物質から形成された透明電極（ａ）と金属材質により製作されたバス電極（ｂ）に備えられたスキャン電極２０２、Ｙ及びサステイン電極２０３、Ｚを含む。
【００３６】
前記スキャン電極２０２、Ｙ及びサステイン電極２０３、Ｚは、放電電流を制限して電極対の間を絶縁させる一つ以上の上部誘電体層２０４によって覆われ、上部誘電体層２０４の上面には、放電条件を容易にするために酸化マグネシウム（ＭｇＯ）を蒸着した保護階２０５が形成される。
【００３７】
前記後面パネル２１０は、複数個の放電空間、すなわち放電セルを形成させるためのストライプタイプ（又はウェルタイプ）の隔壁２１２が平行を維持して配列される。また、アドレス放電を遂行して真空紫外線を発生させる多数のアドレス電極２１３、Ｘが前記隔壁２１２に対して一直線に配置される。
【００３８】
前記後面パネル２１０の上側面には、アドレス放電時に画像表示のための可視光線を放出するＲ、Ｇ、Ｂ蛍光体２１４が塗布される。前記アドレス電極２１３、Ｘと蛍光体２１４の間には、アドレス電極２１３、Ｘを保護するための下部誘電体層２１５が形成される。
【００３９】
ここで、図２においては、本発明が適用され得るプラズマディスプレイパネルの一例のみを図示して説明したが、本発明がここの図２の構造のプラズマディスプレイパネルに限定されるのではないことを明らかにしておく。
【００４０】
例えば、ここの図２においては、前記スキャン電極２０２、Ｙとサステイン電極２０３、Ｚは、それぞれ透明電極（ａ）とバス電極（ｂ）から成るもののみを図示しているが、これとは異なって前記スキャン電極２０２、Ｙとサステイン電極２０３、Ｚのうち少なくとも一つ以上はバス電極（ｂ）のみから成るか、又は透明電極（ａ）のみから成ることも可能である。
【００４１】
また、前記スキャン電極２０２、Ｙとサステイン電極２０３、Ｚが前面パネル２００に含まれ、前記アドレス電極２１３、Ｘは、前記後面パネル２１０に含まれるもののみを図示して説明しているが、前記前面パネル２００にすべての各電極が形成されるか、又は前記スキャン電極２０２、Ｙ、サステイン電極２０３、Ｚ、アドレス電極２１３、Ｘのうち少なくともどの一つの電極が隔壁２１２上に形成されることも可能である。
【００４２】
このような図２の内容を考慮する時、本発明が適用され得るプラズマディスプレイパネルは、駆動電圧を供給するためのスキャン電極２０２、Ｙ、サステイン電極２０３、Ｚ及びアドレス電極２１３、Ｘが形成され、その以外の条件は構わない。
【００４３】
ここで、図２の説明を終え、再び図１の説明を引き続く。
【００４４】
前記スキャン駆動部１０２は、リセット期間にプラズマディスプレイパネル１００のスキャン電極（Ｙ）にセットアップパルス及びセットダウンパルスを供給し、アドレス期間にスキャンパルスを供給し、サステイン期間にサステインパルスを供給する。
【００４５】
ここで、リセット期間にスキャン電極に印加されるセットアップパルスは、プラズマディスプレイパネルとの共振により印加されるが、これに対する詳しい説明は後述する。
【００４６】
前記サステイン駆動部１０３は、画像を表示するサステイン期間でサステイン電極（Ｚ）に上述したスキャン電極（Ｙ）に印加されるサステインパルスと交番されるサステインパルスを供給する。
【００４７】
前記データ駆動部１０１は、アドレス期間でプラズマディスプレイパネル１００のアドレス電極Xにデータパルス（Ｖｄ）を供給する。
【００４８】
図３は、本発明の一実施形態によるプラズマディスプレイ装置によって生成される駆動波形を示した図である。
【００４９】
図３に示したように、サブフィールド（ＳＦ）のそれぞれは、全画面の各放電セルを初期化するためのリセット期間（ＲＰ）、放電セルを選択するためのアドレス期間（ＡＰ）及び選択された各放電セルの放電を維持させるためのサステイン期間（ＳＰ）を含む。
【００５０】
リセット期間（ＲＰ）において、セットアップ期間（ＳＵ）には、すべての各スキャン電極（Ｙ）に第１電圧（Ｖｓ）から第２電圧（Ｖｓ+２Ｖｓｔ）まで漸進的に上昇するセットアップパルスが同時に印加される。該セットアップパルスによって全画面の各セル内には、微弱な放電（セットアップ放電）が起こって各セル内に壁電荷が生成される。
【００５１】
ここで、本発明の一実施形態によるプラズマディスプレイ装置によって生成される駆動波形のうちセットアップパルスは、従来とは異なって共振により形成されるが、これに対する詳しい説明は後述する。
【００５２】
セットダウン期間（ＳＤ）には、セットアップパルスが印加された後、セットアップパルスのピーク電圧より低い正極性のサステイン電圧（Ｖｓ）から負極性のスキャン電圧（-Ｖｙ）まで所定の傾斜度で下降するセットダウンパルスが各スキャン電極（Ｙ）に同時に印加される。
【００５３】
セットダウンパルスは、各セル内に微弱な消去放電を起こすことで、セットアップ放電によって生成された壁電荷及び空間電荷のうち不要電荷を消去させて全画面の各セル内にアドレス放電に必要な壁電荷を均一に残留させる。
【００５４】
アドレス期間（ＡＰ）には、負極性のスキャンパルス（ＳＣＮＰ）が各スキャン電極（Ｙ）に順次に印加されると同時に、各アドレス電極に正極性のデータパルス（ＤＰ）が印加される。
【００５５】
前記スキャンパルス（ＳＣＮＰ）とデータパルス（ＤＰ）との電圧差とリセット期間（ＲＰ）に生成された壁電圧が加わりながら、データパルス（ＤＰ）が印加されるセル内にはアドレス放電が発生する。該アドレス放電によって選択された各セル内には壁電荷が生成される。
【００５６】
一方、セットダウン期間（ＳＤ）とアドレス期間（ＡＰ）の間に各サステイン電極（Ｚ）には、正極性のサステイン電圧（Ｖｓ）が印加される。
【００５７】
サステイン期間（ＳＰ）には、各スキャン電極（Ｙ）と各サステイン電極（Ｚ）に交番的にサステインパルス（ＳＵＳＰ）が印加される。次いで、アドレス放電によって選択されたセルは、セル内の壁電圧とサステインパルス（ＳＵＳＰ）が加わりながら毎サステインパルス（ＳＵＳＰ）が印加されるたびにスキャン電極（Ｙ）とサステイン電極（Ｚ）の間に面放電形態でサステイン放電が起こる。
【００５８】
このような駆動波形を供給するためのプラズマディスプレイ装置のうちスキャン駆動部について説明すると、図４のようである。
【００５９】
図４は、本発明の一実施形態によるプラズマディスプレイ装置のうちスキャン駆動部を説明するための図である。
【００６０】
図４に示したように、本発明の一実施形態によるプラズマディスプレイ装置は、パネルキャパシタ（Ｃｐ）のスキャン電極（Ｙ）を駆動するスキャン駆動部４０と、パネルキャパシタ（Ｃｐ）のサステイン電極（Ｚ）を駆動するサステイン駆動部５０と、を含む。
【００６１】
パネルキャパシタ（Ｃｐ）は、プラズマディスプレイパネルのスキャン電極（Ｙ）とサステイン電極（Ｚ）の間に形成される静電容量を等価的に示したものである。
【００６２】
前記スキャン駆動部４０は、サステインパルス供給部４１、第１スイッチ（Ｑ１）、セットアップパルス供給部４５、第２スイッチ（Ｑ２）、セットダウンパルス供給部４６、スキャンパルス供給部４７、スキャン基準電圧供給部４８及びスキャン集積回路部４９を含む。
【００６３】
前記サステインパルス供給部４１は、サステイン期間の間第１電圧、すなわちサステイン電圧（Ｖｓ）レベル及び基底電圧（ＧＮＤ）レベルを有するサステインパルスをパネルキャパシタ（Ｃｐ）のスキャン電極（Ｙ）に供給する。
【００６４】
このようなサステインパルス供給部４１は、サステイン電圧源（Ｖｓ）とスキャン電極（Ｙ）の間に接続されてスキャン電極（Ｙ）にサステイン電圧（Ｖｓ）を供給するように制御するサステイン電圧供給制御部４２及び基底電圧源（ＧＮＤ）とスキャン電極（Ｙ）の間に接続されてスキャン電極（Ｙ）に基底電圧（ＧＮＤ）を供給するように制御する基底電圧供給制御部４３を含む。
【００６５】
前記サステイン電圧供給制御部４２は、サステイン電圧源（Ｖｓ）と第１ノード（Ｎ１）の間に接続され、セットアップ期間及びサステイン期間にパネルキャパシタ（Ｃｐ）のスキャン電極（Ｙ）にサステイン電圧（Ｖｓ）を供給する。
【００６６】
このようなサステイン電圧供給制御部４２は、タイミングコントローラ（図示せず）から供給されるスイチング制御信号に応答してサステイン電圧源（Ｖｓ）を第１ノード（Ｎ１）に電気的に接続させる。これによってセットアップ期間及びサステイン期間に第１ノード（Ｎ１）にはサステイン電圧（Ｖｓ）が供給される。
【００６７】
前記基底電圧供給制御部４３は、基底電圧源（ＧＮＤ）と第１ノード（Ｎ１）の間に接続されてサステイン期間の間前記サステイン電圧供給制御部４２と交番的に動作してパネルキャパシタ（Ｃｐ）のスキャン電極（Ｙ）に基底電圧（ＧＮＤ）を供給する。
【００６８】
このような基底電圧供給制御部４３は、タイミングコントローラ（図示せず）から供給されるスイチング制御信号に応答して基底電圧源（ＧＮＤ）を第１ノード（Ｎ１）に電気的に接続させる。
【００６９】
このような基底電圧供給制御部４３は、サステイン期間の間前記サステイン電圧供給制御部４２と交番的に動作する。これによってサステイン期間に第１ノード（Ｎ１）には、サステイン電圧（Ｖｓ）と基底電圧（ＧＮＤ）とが交番的に供給される。
【００７０】
前記サステイン電圧供給制御部４２と基底電圧供給制御部４３は電界効果トランジットを採択して構成することができて、前記サステイン電圧供給制御部４２のドレイン端はサステイン電圧源（Ｖｓ）に接続し、前記サステイン電圧供給制御部４２のソース端は基底電圧供給制御部４３のドレイン端に接続し、前記基底電圧供給制御部４３のソース端は基底電圧源（ＧＮＤ）に接続することが好ましい。
【００７１】
このようにすることで、セットアップ期間の間に図５に示したように、サステイン電圧源（Ｖｓ）-サステイン電圧供給制御部４２-第１スイッチ（Ｑ１）-第２スイッチ（Ｑ２）-第８スイッチ（Ｑ８）-パネルキャパシタ（Ｃｐ）を連結する電流パスを形成してパネルキャパシタ（Ｃｐ）のスキャン電極（Ｙ）にサステイン電圧（Ｖｓ）を供給する。
【００７２】
前記セットアップパルス供給部４５は、前記サステインパルス供給部４１とパネルキャパシタ（Ｃｐ）のスキャン電極（Ｙ）の間に接続され、セットアップ期間の間スキャン電極（Ｙ）にセットアップパルスを供給する。このようなセットアップパルス供給部４５は、セットアップ電圧源（Ｖｓｔ）、セットアップキャパシタ（Ｃｓｔ）、セットアップスイッチ（Ｑｓｔ）、セットアップインダクタ（Ｌｓｔ）を含む。
【００７３】
セットアップ電圧源（Ｖｓｔ）は、セットアップ期間の間スキャン電極（Ｙ）にセットアップ電圧（Ｖｓｔ）を供給する電圧源である。
【００７４】
セットアップキャパシタ（Ｃｓｔ）は、セットアップ電圧源（Ｖｓｔ）とサステインパルス供給部４１の間に接続され、セットアップ電圧源（Ｖｓｔ）から供給されるセットアップ電圧（Ｖｓｔ）を充電する。
【００７５】
セットアップスイッチ（Ｑｓｔ）は、セットアップ電圧源（Ｖｓｔ）とスキャン電極（Ｙ）の間に接続され、タイミングコントローラ（図示せず）から供給されるスイチング制御信号に応答してセットアップ電圧（Ｖｓｔ）がスキャン電極（Ｙ）に供給されるように制御する。このようなセットアップスイッチ（Ｑｓｔ）で電界効果トランジットを採択することができる。
【００７６】
セットアップインダクタ（Ｌｓｔ）は、セットアップスイッチ（Ｑｓｔ）とスキャン電極（Ｙ）の間に接続され、セットアップキャパシタ（Ｃｓｔ）に充電された電圧をパネルキャパシタ（Ｃｐ）との直列共振を利用してスキャン電極（Ｙ）に供給する。
【００７７】
セットアップキャパシタ（Ｃｓｔ）の一端はセットアップ電圧源（Ｖｓｔ）と接続され、セットアップキャパシタ（Ｃｓｔ）の他端は前記基底電圧供給制御部４３のドレイン端に接続され、セットアップスイッチ（Ｑｓｔ）のドレイン端はセットアップキャパシタ（Ｃｓｔ）の一端及びセットアップ電圧源（Ｖｓｔ）と共通接続され、セットアップスイッチ（Ｑｓｔ）のソース端はセットアップインダクタ（Ｌｓｔ）の一端と接続され、セットアップインダクタ（Ｌｓｔ）の他端は、第２スイッチＱ２，第８スイッチＱ８を介してスキャン電極（Ｙ）と接続されるようにすることが好ましい。
【００７８】
このようにセットアップキャパシタ（Ｃｓｔ）の一端をセットアップ電圧源（Ｖｓｔ）と接続させてセットアップキャパシタ（Ｃｓｔ）の他端を前記サステイン電圧供給制御部４２のソース端と基底電圧供給制御部４３のドレイン端の共通ノードである第１ノード（Ｎ１）に接続させることで、図６に示したように、セットアップ電圧源（Ｖｓｔ）-セットアップキャパシタ（Ｃｓｔ）-基底電圧供給制御部４３-基底電圧源（ＧＮＤ）を連結する電流パスを形成して、セットアップキャパシタ（Ｃｓｔ）をセットアップ電圧（Ｖｓｔ）レベルで充電する。
【００７９】
また、セットアップスイッチ（Ｑｓｔ）のドレイン端をセットアップキャパシタ（Ｃｓｔ）の一端及びセットアップ電圧源（Ｖｓｔ）と共通接続させて、セットアップスイッチ（Ｑｓｔ）のソース端をセットアップインダクタ（Ｌｓｔ）の一端と接続させて、セットアップインダクタ（Ｌｓｔ）の他端をスキャン電極（Ｙ）と接続させることで、図７に示したようなセットアップキャパシタ（Ｃｓｔ）-セットアップスイッチ（Ｑｓｔ）-セットアップインダクタ（Ｌｓｔ）-第２スイッチ（Ｑ２）-パネルキャパシタ（Ｃｐ）を連結する電流パスを形成して、セットアップキャパシタ（Ｃｓｔ）に充電された電圧をセットアップインダクタ（Ｌｓｔ）とパネルキャパシタ（Ｃｐ）の間のＬＣ直列共振を利用して第１電圧から第２電圧まで漸進的に上昇するセットアップパルスをパネルキャパシタ（Ｃｐ）のスキャン電極（Ｙ）に供給する。
【００８０】
この過程について図８及び図９を参照してより詳しく説明する。
【００８１】
図８は、図７に図示された電流パスによる閉回路網の等価回路を示した図であり、図９は、図８のパネルキャパシタに印加される電圧を示した図面である。
【００８２】
まず、図７に図示された電流パスによる閉回路網の等価回路を示すと、図８のようである。図８に示したように、セットアップ期間の間図７に図示された電流パスによる閉回路網は、セットアップキャパシタ（Ｃｓｔ）-セットアップインダクタ（Ｌｓｔ）-パネルキャパシタ（Ｃｐ）-セットアップキャパシタ（Ｃｓｔ）を連結する直列回路網に等価化することができる。
【００８３】
セットアップキャパシタ（Ｃｓｔ）は、前述したように、セットアップ電圧（Ｖｓｔ）で充電された状態である。
【００８４】
このような等価回路は、セットアップインダクタ（Ｌｓｔ）とパネルキャパシタ（Ｃｐ）間のＬｓｔ-Ｃｐ直列共振を発生し、パネルキャパシタ（Ｃｐ）の両端には、図９に示したような電圧が印加される。
【００８５】
このようにパネルキャパシタ（Ｃｐ）の両端に印加される電圧波形の共振周期は次の数学式１のようである。
【００８６】
【数１】
2007122052.tif 000003
【００８７】
Ｔｓは図８に図示された閉回路網の共振週期、Ｌｓｔはセットアップインダクタのインダクタンス、Ｃｐはパネルキャパシタのキャパシタンスを示す。
【００８８】
セットアップスイッチ（Ｑｓｔ）は、飽和領域で動作するようにすることが好ましい。
【００８９】
このようにセットアップスイッチ（Ｑｓｔ）を飽和領域で動作するようにすることで、プラズマディスプレイパネルの駆動過程における電力損失を最小化する一方、安定した駆動を確保する。
【００９０】
セットアップスイッチ（Ｑｓｔ）のオン（on）タイムを調節してセットアップパルスの最高電圧を調節することが好ましく、セットアップスイッチ（Ｑｓｔ）のオン（on）タイムは、共振週期の１/４倍以上、１/２倍以下に調節することが好ましい。
【００９１】
すなわち、図８及び図９に示したように、Ｌｓｔ-Ｃｐ直列共振回路の共振週期（Ｔｓ）を考慮してセットアップスイッチ（Ｑｓｔ）のオン（on）タイムを調節することで、セットアップパルスの最高電圧、すなわち第２電圧を駆動環境によってＶｓ+Ｖｓｔ以上Ｖｓ+２Ｖｓｔ以下の範囲で採択することができる。
【００９２】
前記セットアップパルス供給部４５は、アノード端がセットアップ電圧源（Ｖｓｔ）と接続されてカソード端がセットアップキャパシタ（Ｃｓｔ）の一端及びセットアップスイッチ（Ｑｓｔ）のドレイン端と共通接続された逆電流遮断ダイオード（Ｄ１）をさらに含むようにすることが好ましい。このようにすることで、セットアップキャパシタ（Ｃｓｔ）からセットアップ電圧源（Ｖｓｔ）への逆電流の流れを防止する。
【００９３】
前記セットダウンパルス供給部４６は、第３ノード（Ｎ３）とスキャンパルス供給部４７の間に接続されて、リセット期間の間基底電圧（ＧＮＤ）から負極性のスキャン電圧（-Ｖｙ）まで所定の傾斜度で下降する下降ランプ波形をパネルキャパシタ（Ｃｐ）のスキャン電極（Ｙ）に供給する。
【００９４】
このようなセットダウンパルス供給部４６は、第３ノード（Ｎ３）と負極性のスキャン電圧源（-Ｖｙ）の間に接続された第３スイッチ（Ｑ３）と該第３スイッチ（Ｑ３）のゲート端に接続された第１可変抵抗（Ｒ１）及び第３スイッチ（Ｑ３）のゲート端と第１可変抵抗（Ｒ１）の共通端と第３ノード（Ｎ３）の間に接続された第１キャパシタ（Ｃ１）を含む。
【００９５】
第３スイッチ（Ｑ３）は、タイミングコントローラ（図示せず）から供給されるスイチング制御信号に応答してスキャン電圧源（-Ｖｙ）を第３ノード（Ｎ３）に電気的に接続させる。
【００９６】
これによって、リセット期間の間第３ノード（Ｎ３）には負極性のスキャン電圧レベル（-Ｖｙ）を有するセットダウンパルスが供給される。この時、第３ノード（Ｎ３）に供給されるセットダウンパルスは所定の傾斜度を有する。
【００９７】
第１可変抵抗（Ｒ１）と第１キャパシタ（Ｃ１）は、第３スイッチ（Ｑ３）のゲート端に接続されてセットダウンパルスの傾斜度を制御する。これによってリセット期間の間第３ノード（Ｎ３）には負極性の傾斜度を有するセットダウンパルスが供給される。
【００９８】
前記スキャンパルス供給部４７は、第３ノード（Ｎ３）に接続されてアドレス期間の間パネルキャパシタ（Ｃｐ）のスキャン電極（Ｙ）に負極性のスキャン電圧レベル（-Ｖｙ）を有するスキャンパルス（ＳＣＮＰ）を供給する。このようなスキャンパルス供給部４７は、スキャン電圧源（-Ｖｙ）、スキャン電圧源（-Ｖｙ）と第３ノード（Ｎ３）の間に接続された第４スイッチ（Ｑ４）を含む。
【００９９】
第４スイッチ（Ｑ４）は、タイミングコントローラ（図示せず）から供給されるスイチング制御信号に応答して、スキャン電圧源（-Ｖｙ）から供給される負極性のスキャン電圧（-Ｖｙ）を第３ノード（Ｎ３）に伝達する。これによってアドレス期間に第３ノード（Ｎ３）には負極性のスキャン電圧（-Ｖｙ）が伝達される。
【０１００】
前記スキャン基準電圧供給部４８は、第３ノード（Ｎ３）と前記スキャン集積回路部４９の間に接続され、アドレス期間の間パネルキャパシタ（Ｃｐ）のスキャン電極（Ｙ）にスキャン基準電圧（Ｖｓc）を供給する。
【０１０１】
このようなスキャン基準電圧供給部４８は、スキャン基準電圧源（Ｖｓc）、スキャン基準電圧源（Ｖｓc）と第３ノード（Ｎ３）の間に直列に接続された第５スイッチ（Ｑ５）及び第６スイッチ（Ｑ６）を含む。
【０１０２】
第５スイッチ（Ｑ５）は、スキャン基準電圧源（Ｖｓc）と前記スキャン集積回路部４９の間に接続され、タイミングコントローラ（図示せず）から供給される制御信号に応答してスキャン基準電圧源（Ｖｓc）を第４ノード（Ｎ４）に電気的に接続させる。
【０１０３】
これによって、アースレス期間の間第４ノード（Ｎ４）には、スキャン基準電圧（Ｖｓc）が伝達される。ここで、第４ノード（Ｎ４）は、第５スイッチ（Ｑ５）、第６スイッチ（Ｑ６）及びスキャン集積回路部４９の共通ノードである。
【０１０４】
第６スイッチ（Ｑ６）は、第３ノード（Ｎ３）と第４ノード（Ｎ４）の間に接続され、タイミングコントローラ（図示せず）から供給されるスイチング制御信号に応答して第３ノード（Ｎ３）と第４ノード（Ｎ４）とを電気的に接続させる。
【０１０５】
これによって第３ノード（Ｎ３）に供給された電圧は、第４ノード（Ｎ４）に伝達され、第４ノード（Ｎ４）に供給された電圧は第３ノード（Ｎ３）に伝達される。
【０１０６】
前記スキャン集積回路部４９は、第３ノード（Ｎ３）と第４ノード（Ｎ４）の間にプッシュプル形態に接続される第７スイッチ（Ｑ７）及び第８スイッチ（Ｑ８）を含む。第７スイッチ（Ｑ７）と第８スイッチ（Ｑ８）の共通ノードは、パネルキャパシタ（Ｃｐ）のスキャン電極（Ｙ）に接続される。
【０１０７】
第７スイッチ（Ｑ７）は、自分のボディダイオードを介して第４ノード（Ｎ４）に供給された電圧をパネルキャパシタ（Ｃｐ）のスキャン電極（Ｙ）に供給する。
【０１０８】
言い換えれば、第７スイッチ（Ｑ７）は第４ノード（Ｎ４）に負極性の電圧が供給される時に自分のボディダイオードを経由してパネルキャパシタ（Ｃｐ）のスキャン電極（Ｙ）を第４ノード（Ｎ４）に電気的に接続させることで、第４ノード（Ｎ４）に供給された電圧をパネルキャパシタ（Ｃｐ）のスキャン電極（Ｙ）に供給する。
【０１０９】
これによってパネルキャパシタ（Ｃｐ）のスキャン電極（Ｙ）には、第４ノード（Ｎ４）に供給された負極性電圧ほど低い電圧が供給される。
【０１１０】
第８スイッチ（Ｑ８）は、自分のボディダイオードを介して第３ノード（Ｎ３）に供給された電圧をパネルキャパシタ（Ｃｐ）のスキャン電極（Ｙ）に供給する。
【０１１１】
言い換えれば、第８スイッチ（Ｑ８）は第３ノード（Ｎ３）に正極性電圧が供給される時に自分のボディダイオードを経由して第３ノード（Ｎ３）をパネルキャパシタ（Ｃｐ）のスキャン電極（Ｙ）に電気的に接続させることで、第３ノード（Ｎ３）に供給された電圧をパネルキャパシタ（Ｃｐ）のスキャン電極（Ｙ）に供給する。
【０１１２】
これによってパネルキャパシタ（Ｃｐ）のスキャン電極（Ｙ）には、第３ノード（Ｎ３）に供給された正極性電圧位高い電圧が供給される。
【０１１３】
前記サステイン駆動部５０は、セットダウン期間及びアドレス期間の間パネルキャパシタ（Ｃｐ）のサステイン電極（Ｚ）にサステイン電圧（Ｖｓ）レベルを有する正極性バイアス電圧を供給するとともに、サステイン期間（ＳＰ）の間基底電圧レベル（ＧＮＤ）及びサステイン電圧レベル（Ｖｓ）を有するサステインパルスをパネルキャパシタ（Ｃｐ）のサステイン電極（Ｚ）に供給する。
以上、説明した内容を通じて当業者であれば本発明の技術事象を外れない範囲で変更が可能であり、本発明の技術的範囲は、明細書の詳細な説明に記載された内容に限るのではなく、特許請求範囲により定めるはずである。
【図面の簡単な説明】
【０１１４】
【図１】本発明の一実施形態によるプラズマディスプレイ装置を説明するための図である。
【図２】本発明の一実施形態によるプラズマディスプレイ装置でプラズマディスプレイパネルの構造の一例を説明するための図である。
【図３】本発明の一実施形態によるプラズマディスプレイ装置によって生成される駆動波形を示した図である。
【図４】本発明の一実施形態によるプラズマディスプレイ装置のうちスキャン駆動部を説明するための図である。
【図５】本発明の一実施形態によるプラズマディスプレイ装置によって生成される駆動波形のうちセットアップパルスを生成するための電流パスを示した図面である。
【図６】本発明の一実施形態によるプラズマディスプレイ装置によって生成される駆動波形のうちセットアップパルスを生成するための電流パスを示した図面である。
【図７】本発明の一実施形態によるプラズマディスプレイ装置によって生成される駆動波形のうちセットアップパルスを生成するための電流パスを示した図面である。
【図８】図７に図示された電流パスによる閉回路網の等価回路を示した図面である。
【図９】図８のパネルキャパシタに印加される電圧を示した図面である。
【符号の説明】
【０１１５】
１００  プラズマディスプレイパネル
１０１  データ駆動部
１０２  スキャン駆動部
１０３  サステイン駆動部
２００  前面パネル
２０１  前面基板
２１０  後面パネル
２１３  アドレス電極
【図１】
2007122052.tif 000004
【図２】
2007122052.tif 000005
【図３】
2007122052.tif 000006
【図４】
2007122052.tif 000007
【図５】
2007122052.tif 000008
【図６】
2007122052.tif 000009
【図７】
2007122052.tif 000010
【図８】
2007122052.tif 000011
【図９】
2007122052.tif 000012